(57)【要約】【課題】構造を簡略化し、組立て作業性の向上およびコストの低下を図り、とくに携帯式プリンターに装備して操作性が良好なバッテリーカバーの開閉装置を提供すること。【解決手段】バッテリーカバー９の閉鎖位置および開放位置に切替え操作可能なスライドロック片２５を設け、カバー本体２６のロック片嵌合部２７内でスライドロック片２５を操作することに着目し、ロック片嵌合部２７とスライドロック片２５とを設け、スライドロック片２５は、機器ハウジング２の係脱孔３４に係脱する係脱突起部３０と、開閉切替え突起部３１およびストッパー突起部３２と、カバー開放位置およびカバー閉鎖位置に操作する開閉操作部３３と、を有し、カバー本体２６には、ストッパー突起部３２が係脱する閉鎖ストッパー面３７と、開閉切替え突起部３１が係脱する開放ストッパー部３８と、を形成していることを特徴とする。【選択図】図６
2014191871.tif 000002
【特許請求の範囲】
【請求項１】
機器ハウジングと、
この機器ハウジングに形成しているとともに、バッテリーを収納取出し可能に収納するバッテリー収納室と、
このバッテリー収納室を開閉するバッテリーカバーと、
このバッテリーカバーをそのまわりに開閉可能とするバッテリーカバー軸と、を有するバッテリーカバーの開閉装置であって、
前記バッテリーカバーは、
前記バッテリー収納室に対して開閉するように前記バッテリーカバー軸に取り付けたカバー本体と、
このカバー本体が前記バッテリーに対向する裏面側に形成するとともに、その内部にスライド空間を有するロック片嵌合部と、を有し、
前記カバー本体に対して、カバー閉鎖位置とカバー開放位置とにそれぞれ切替え操作可能なスライドロック片を設け、
このスライドロック片は、
前記ロック片嵌合部の前記スライド空間内において往復動可能なロック片本体と、
このロック片本体に形成して前記機器ハウジングの係脱孔に係脱可能な係脱突起部と、
この係脱突起部の反対側に位置してこのロック片本体に形成した開閉切替え突起部およびストッパー突起部と、
前記バッテリーカバーの表面側に位置して前記係脱突起部を操作可能な開閉操作部と、を有し、
前記スライドロック片が対向する前記カバー本体には、
前記ストッパー突起部が係脱する閉鎖ストッパー面と、
前記開閉切替え突起部が係脱する開放ストッパー部と、を形成していることを特徴とするバッテリーカバーの開閉装置。
【請求項２】
前記ロック片嵌合部は、前記バッテリー収納室内に設けた接続端子および取出し用スプリングの方向に前記バッテリーを押し付け可能なバッテリー押付け面を有することを特徴とする請求項１記載のバッテリーカバーの開閉装置。
【請求項３】
前記バッテリー収納室内に設けた接続端子および取出し用スプリングの方向に前記バッテリーを押し付け可能なバッテリー押付けリブを前記カバー本体の裏面側に形成することを特徴とする請求項１または２記載のバッテリーカバーの開閉装置。
【請求項４】
前記スライドロック片の前記係脱突起部には、前記開閉操作部による操作方向に沿ったガイド突起を形成し、
前記バッテリーカバーのロック片嵌合部には、このガイド突起を案内可能なガイド溝を形成していることを特徴とする請求項３記載のバッテリーカバーの開閉装置。
【請求項５】
前記ロック片本体においては、前記開閉切替え突起部をその端部中央に位置させるとともに、その左右に一対の前記ストッパー突起部を位置させていることを特徴とする請求項１ないし４のいずれかに記載のバッテリーカバーの開閉装置。
【請求項６】
前記カバー本体には、前記開閉切替え突起部が係脱する前記開放ストッパー部に対向して、前記開閉切替え突起部を保護する切替え突起部保護片を形成していることを特徴とする請求項１ないし５のいずれかに記載のバッテリーカバーの開閉装置。
【請求項７】
前記スライドロック片において、前記ロック片本体および前記開閉操作部の間にスライド段部を形成するとともに、
前記バッテリーカバーにおけるロック片嵌合部には、このスライド段部が摺接するスライド受け段部を形成していることを特徴とする請求項１ないし６のいずれかに記載のバッテリーカバーの開閉装置。
【請求項８】
前記バッテリーカバーは、前記機器ハウジングの側面から背面側にかけてこれを配置するとともに、
前記側面から前記背面にかけて位置する稜縁部には、クッション材を配置していることを特徴とする請求項１ないし７のいずれかに記載のバッテリーカバーの開閉装置。
【請求項９】
前記機器ハウジングは、これをプリンターハウジングとし、
前記バッテリーカバー軸は、前記スライドロック片とは反対側であって、このプリンターハウジングを有する機器の使用状態における下方側にこれを設けていることを特徴とする請求項１ないし８のいずれかに記載のバッテリーカバーの開閉装置。
【発明の詳細な説明】
【技術分野】
【０００１】
本発明はバッテリーカバーの開閉装置にかかるもので、とくにバッテリーを収納するバッテリー収納室へのバッテリーの収納取出しを簡易に行うためのバッテリーカバーの開閉装置に関するものである。
【背景技術】
【０００２】
従来から、卓上型プリンターや携帯式プリンターなど各種のプリンターに帯状のラベル連続体その他の印字用紙を装填して、印字発行するための電力としてバッテリーないし充電バッテリーを用いているものがある。
【０００３】
しかしながら、従来のバッテリー開閉装置は、バッテリーカバーの開放状態および閉鎖状態を保持する機構が複雑であるという問題、したがって、組立て作業性が悪く、コスト高になるという問題がある。
また、バッテリーカバーを開き、これを開放状態に押さえた状態でバッテリーを収納および取り出しするために、両手を操作する必要があって、バッテリーカバーの開閉およびバッテリーの収納取出しの操作性について難点があるという問題がある。
【０００４】
とくに携帯式プリンターにおいては、これを携帯して使用するために、バッテリーカバーの開閉およびバッテリーの収納および取出しを片手で簡単に、かつ確実に行いたいという要請がある。
【０００５】
さらにプリンター以外の電気機器においても、バッテリーは広く使用されており、上述と同様の諸問題および要請がある。
【先行技術文献】
【特許文献】
【０００６】
【特許文献１】実開平７−４１９６８号公報
【発明の概要】
【発明が解決しようとする課題】
【０００７】
本発明は以上のような諸問題にかんがみなされたもので、構造を簡略化し、組立て作業性の向上およびコストの低下を図ったバッテリーカバーの開閉装置を提供することを課題とする。
【０００８】
また本発明は、開閉操作性に優れたバッテリーカバーの開閉装置を提供することを課題とする。
【０００９】
また本発明は、バッテリーカバーの開放状態および閉鎖状態を確実に保持可能なバッテリーカバーの開閉装置を提供することを課題とする。
【００１０】
また本発明は、とくに携帯式プリンターに装備して操作性が良好なバッテリーカバーの開閉装置を提供することを課題とする。
【課題を解決するための手段】
【００１１】
すなわち本発明は、カバー軸に開閉可能に取り付けたカバー本体に対して、カバー閉鎖位置とカバー開放位置とにそれぞれ切替え操作可能なスライドロック片を設けること、およびカバー本体に形成したロック片嵌合部内においてこのスライドロック片を切替え操作可能とすることに着目したもので、プリンターその他の機器における機器ハウジングと、この機器ハウジングに形成しているとともに、バッテリーを収納取出し可能に収納するバッテリー収納室と、このバッテリー収納室を開閉するバッテリーカバーと、このバッテリーカバーをそのまわりに開閉可能とするバッテリーカバー軸と、を有するバッテリーカバーの開閉装置であって、上記バッテリーカバーは、上記バッテリー収納室に対して開閉するように上記バッテリーカバー軸に取り付けたカバー本体と、このカバー本体が上記バッテリーに対向する裏面側に形成するとともに、その内部にスライド空間を有するロック片嵌合部と、を有し、上記カバー本体に対して、カバー閉鎖位置とカバー開放位置とにそれぞれ切替え操作可能なスライドロック片を設け、このスライドロック片は、上記ロック片嵌合部の上記スライド空間内において往復動可能なロック片本体と、このロック片本体に形成して上記機器ハウジングの係脱孔に係脱可能な係脱突起部と、この係脱突起部の反対側に位置してこのロック片本体に形成した開閉切替え突起部およびストッパー突起部と、上記バッテリーカバーの表面側に位置して上記係脱突起部を操作可能な開閉操作部と、を有し、上記スライドロック片が対向する上記カバー本体には、上記ストッパー突起部が係脱する閉鎖ストッパー面と、上記開閉切替え突起部が係脱する開放ストッパー部と、を形成していることを特徴とするバッテリーカバーの開閉装置である。
【００１２】
上記ロック片嵌合部は、上記バッテリー収納室内に設けた接続端子および取出し用スプリングの方向に上記バッテリーを押し付け可能なバッテリー押付け面を有することができる。
【００１３】
上記バッテリー収納室内に設けた接続端子および取出し用スプリングの方向に上記バッテリーを押し付け可能なバッテリー押付けリブを上記カバー本体の裏面側に形成することができる。
【００１４】
上記スライドロック片の上記係脱突起部には、上記開閉操作部による操作方向に沿ったガイド突起を形成し、上記バッテリーカバーのロック片嵌合部には、このガイド突起を案内可能なガイド溝を形成していることができる。
【００１５】
上記ロック片本体においては、上記開閉切替え突起部をその端部中央に位置させるとともに、その左右に一対の上記ストッパー突起部を位置させていることができる。
【００１６】
上記カバー本体には、上記開閉切替え突起部が係脱する上記開放ストッパー部に対向して、上記開閉切替え突起部を保護する切替え突起部保護片を形成していることができる。
【００１７】
上記スライドロック片において、上記ロック片本体および上記開閉操作部の間にスライド段部を形成するとともに、上記バッテリーカバーにおけるロック片嵌合部には、このスライド段部が摺接するスライド受け段部を形成していることができる。
【００１８】
上記バッテリーカバーは、上記機器ハウジングの側面から背面側にかけてこれを配置するとともに、上記側面から上記背面にかけて位置する稜縁部には、クッション材を配置していることができる
【００１９】
上記機器ハウジングは、これをプリンターハウジングとし、上記バッテリーカバー軸は、上記スライドロック片とは反対側であって、このプリンターハウジングを有する機器の使用状態における下方側にこれを設けていることができる。
【発明の効果】
【００２０】
本発明によるバッテリーカバーの開閉装置においては、カバー本体に形成したロック片嵌合部内においてスライドロック片を切替え操作可能とし、スライドロック片に形成した係脱突起部を機器ハウジングの係脱孔に係脱可能とし、さらに、係脱突起部の反対側に位置して形成した開閉切替え突起部およびストッパー突起部により、カバー開閉位置およびカバー閉鎖位置を切り替え固定可能としたので、簡単かつ単純な構成で、良好な操作性を得ることができる。
【図面の簡単な説明】
【００２１】
【図１】本発明の実施例によるバッテリーカバーの開閉装置を任意の機器たとえばプリンター、とくに携帯式プリンター１に装備した場合の当該携帯式プリンター１の斜視図である。
【図２】同、携帯式プリンター１を上側から見た平面図である。
【図３】同、その使用状態における携帯式プリンター１を側面から見た側面図である。
【図４】同、図３のＩＶ−ＩＶ線要部断面図である。
【図５】同、図３のＶ−Ｖ線要部断面図である。
【図６】同、バッテリーカバー９の開閉装置１５を裏面側（充電バッテリー７側）から見た斜視図である。
【図７】同、バッテリーカバー９を裏面側（充電バッテリー７側）から見た斜視図である。
【図８】同、バッテリーカバー９を表面側（プリンターハウジング２の外側）から見た斜視図である。
【図９】同、スライドロック片２５を表面側（プリンターハウジング２の外側）から見た斜視図である。
【図１０】同、スライドロック片２５を裏面側（充電バッテリー７側）から見た裏面図である。
【発明を実施するための形態】
【００２２】
本発明は、カバー本体に形成したロック片嵌合部内においてスライドロック片を切替え操作可能とし、スライドロック片に形成した係脱突起部を機器ハウジングの係脱孔に係脱可能とし、さらに、開閉切替え突起部およびストッパー突起部により、カバー開閉位置およびカバー閉鎖位置を切り替え固定可能としたので、簡単かつ低廉な構成で、操作性良好なバッテリーカバーの開閉装置を実現した。
【実施例】
【００２３】
つぎに本発明の実施例によるバッテリーカバーの開閉装置を図１ないし図１０にもとづき説明する。
図１は、上記バッテリーカバーの開閉装置を任意の機器たとえばプリンター、とくに携帯式プリンター１に装備した場合の当該携帯式プリンター１の斜視図、図２は、携帯式プリンター１を上側から見た平面図、図３は、その使用状態における携帯式プリンター１を側面から見た側面図である。
携帯式プリンター１は、サーマルプリンターとしてこれを構成してあり、プリンターハウジング２（機器ハウジング）と、開閉カバー３と、ラベル連続体４（印字用紙、図３）の供給部５と、印字部６と、充電バッテリー７（バッテリー）のバッテリー収納室８と、バッテリーカバー９と、アダプター接続端子１０（図２）と、入力部１１と、表示部１２と、電源スイッチ１３と、制御部１４と、バッテリーカバー９の開閉装置１５と、を有する。
【００２４】
プリンターハウジング２は、作業者が携帯可能な大きさを有し、図１中、上方にベルト掛け部１６を設けて、肩掛けベルト（図示せず）により携帯式プリンター１全体を作業者の肩から吊り下げ可能としている。もちろん、作業者の腰に装着可能とする構成とすることもできる。
さらにプリンターハウジング２には、図１中、下方隅部に位置した開閉カバー軸１７のまわりに上記開閉カバー３を開閉可能に設けて、供給部５へのラベル連続体４の収納および携帯式プリンター１への装填を可能としている。
【００２５】
ラベル連続体４は、帯状の台紙上に複数枚のラベル片を仮着した構成である。ラベル片は、いわゆるサーマルラベルであって、その表面に感熱発色層を塗工して、印字可能としてある。
供給部５は、ラベル連続体４をロール状に巻いてその内部に収納し、印字部６方向に帯状に繰り出し可能としている。
【００２６】
印字部６は、プリンターハウジング２側に取り付けたサーマルヘッド１８（印字ヘッド）と、開閉カバー３側に取り付けたプラテンローラー１９と、を有する。
サーマルヘッド１８およびプラテンローラー１９の間にラベル連続体４を挟持して、プラテンローラー１９を回転駆動するとともに、制御部１４からサーマルヘッド１８に供給した印字データに応じてサーマルヘッド１８の発熱素子（図示せず）を発熱させ、ラベル連続体４（ラベル片）にサーマル印字を行い、発行口２０から排出してラベル連続体４を取り出し可能とする。
【００２７】
プリンターハウジング２には開放用押しボタン２１を設けて、開放用押しボタン２１をプリンターハウジング２の内方に押し込むように操作することにより、サーマルヘッド１８をプラテンローラー１９から離反させ、サーマルヘッド１８とプラテンローラー１９との間にラベル連続体４を挿通装填可能とする。
【００２８】
充電バッテリー７は、プリンターハウジング２に形成しているバッテリー収納室８に収納取出し可能であって、上述の印字部６（サーマルヘッド１８）はもちろん、携帯式プリンター１全体に電力を供給する。
【００２９】
アダプター接続端子１０は、プリンターハウジング２にこれを設け、外部電源（図示せず）に接続して充電バッテリー７に充電するためのＡＣアダプター２２を接続可能とする。
【００３０】
入力部１１は、携帯式プリンター１に必要なデータないしコマンドを入力可能とする。
表示部１２は、入力部１１により入力された情報およびその他必要な情報を表示可能とする。
【００３１】
制御部１４は、電子基板などにこれを設けてあり、上述の印字部６、充電バッテリー７、アダプター接続端子１０、入力部１１、表示部１２および電源スイッチ１３との間でデータおよびコマンドの授受を行うとともに、これらを適宜制御する。
【００３２】
なお、携帯式プリンター１においては、落下などによる衝撃に対する耐性を確保するために、とくにプリンターハウジング２の表面側に位置している入力部１１、表示部１２、電源スイッチ１３、バッテリーカバー９の開閉装置１５、開閉カバー３などを配置している領域面をプリンターハウジング２の他の領域面（図示の例では、プリンターハウジング２の稜縁部）から凹ませるとともに、当該他の領域面にエラストマーその他の衝撃吸収性材料によるクッション材２３を設けている。
また、直方体形状のプリンターハウジング２における他の稜縁部にも同様に、クッション材２３を設けて携帯式プリンター１全体の耐衝撃性を確保している。
【００３３】
本発明によるバッテリーカバー９の開閉装置１５は、バッテリー収納室８を開閉するバッテリーカバー９と、バッテリーカバー９をそのまわりに開閉可能とするバッテリーカバー軸２４と、スライドロック片２５と、を有する。
【００３４】
とくに図１および図３に示すように、バッテリーカバー軸２４は、スライドロック片２５とは反対側であって、この携帯式プリンター１の使用状態における下方側に水平方向にこれを設けている。すなわち、スライドロック片２５がバッテリーカバー９の上方側に位置し、バッテリーカバー軸２４は、下方側に位置している。
したがって、バッテリーカバー軸２４のまわりに開閉するバッテリーカバー９は、携帯式プリンター１の使用状態において、鉛直面内を回動することになる。
さらに、後述するように、スライドロック片２５は、携帯式プリンター１の使用状態において、鉛直面内で往復動することにより、バッテリーカバー９の開閉を行う。
【００３５】
図４は、図３のＩＶ−ＩＶ線要部断面図、図５は、図３のＶ−Ｖ線要部断面図である。
バッテリーカバー９は、バッテリーカバー軸２４に開閉可能に取り付けたカバー本体２６と、カバー本体２６に形成したロック片嵌合部２７と、を有する。
とくに図１、図３および図５に示すように、バッテリーカバー９は、プリンターハウジング２の側面から背面側にかけてこれを配置するとともに、側面から背面にかけて位置する曲面状の稜縁部には、上記クッション材２３（図５）を配置している。
【００３６】
図６は、バッテリーカバー９の開閉装置１５を裏面側（充電バッテリー７側）から見た斜視図、図７は、バッテリーカバー９を裏面側（充電バッテリー７側）から見た斜視図、図８は、バッテリーカバー９を表面側（プリンターハウジング２の外側）から見た斜視図、図９は、スライドロック片２５を表面側（プリンターハウジング２の外側）から見た斜視図、図１０は、スライドロック片２５を裏面側（充電バッテリー７側）から見た裏面図である。
とくに図５に示すように、カバー本体２６は、携帯式プリンター１においては、プリンターハウジング２の裏面側（背面側）が、プリンターハウジング２の表面側（すなわち、入力部１１、表示部１２、電源スイッチ１３などを設けている領域面側）に対して、やや幅狭に形成し、できるだけ小型軽量化を図っているため、そのバッテリーカバー軸２４側からクッション材２３を配置しているその端部側（背面側）にかけてその幅が漸減する構成、すなわち、概略細長三角形状の断面形状を呈している。
さらに、カバー本体２６は、スライドロック片２５を設けた位置からプリンターハウジング２の背面側にかけてやや弧状を呈する端部領域を有するとともに、この端部領域にクッション材２３を配置し、バッテリーカバー９がカバー閉鎖位置はもちろん、カバー開放位置にある時に外部からの衝突ないし衝撃に対してバッテリーカバー９を保護可能である。
【００３７】
とくに図７および図８に示すように、ロック片嵌合部２７は、カバー本体２６が充電バッテリー７に対向する裏面側にこれを形成するとともに、スライドロック片２５が往復動する方向に沿ってその内部にスライド空間２８を有する。
【００３８】
とくに図９および図１０に示すように、スライドロック片２５は、カバー本体２６に対して、カバー閉鎖位置とカバー開放位置とにそれぞれ切替え（往復動）操作可能である。
このスライドロック片２５は、板状のロック片本体２９と、係脱突起部３０と、開閉切替え突起部３１と、左右一対のストッパー突起部３２と、開閉操作部３３と、を有する。
【００３９】
ロック片本体２９は、バッテリーカバー９におけるロック片嵌合部２７のスライド空間２８（図７、図８）内において往復動可能である。
ロック片本体２９の上方側端部（図９中、左側端部）を係脱突起部３０として形成してあり、プリンターハウジング２に凹状に形成した係脱孔３４（図４）にこの係脱突起部３０が係脱可能である。
【００４０】
開閉切替え突起部３１および左右一対のストッパー突起部３２は、互いに平行であって、係脱突起部３０の反対側（下方側端部、図９中、右側）に位置してロック片本体２９にこれを形成している。ただし、ロック片本体２９には、開閉切替え突起部３１を中央に位置させるとともに、その左右に一対のストッパー突起部３２を位置させている。
さらに、係脱突起部３０、開閉切替え突起部３１および左右一対のストッパー突起部３２は、ロック片本体２９と同一板状部材の面内にあって、その構成を簡易とし、かつスライドロック片２５の操作にあたっての抵抗を極力低下させ、バッテリーカバー９の開閉操作を円滑化可能としている。
【００４１】
開閉操作部３３は、ロック片本体２９から台状に突出した形状であり、上記スライド空間２８からバッテリーカバー９の表面側に位置し、スライドロック片２５の係脱突起部３０を操作可能であって、バッテリーカバー９をそのカバー開放位置およびカバー閉鎖位置に開閉可能とすることができる。
【００４２】
なお、とくに図１０に示すように、スライドロック片２５の係脱突起部３０の一面に、スライドロック片２５の操作方向に沿って延びる左右一対のガイド突起３５を形成している。また、開閉操作部３３の裏面側には一対の凹部３６を形成し、スライドロック片２５の自体の軽量化を図っている。
【００４３】
とくに図６および図７に示すように、上述のスライドロック片２５が対向するカバー本体２６の裏面側には、左右一対の閉鎖ストッパー面３７と、開放ストッパー部３８と、を形成している。
左右一対の閉鎖ストッパー面３７は、ロック片嵌合部２７の端面にこれを形成し、ストッパー突起部３２が係脱する。
開放ストッパー部３８は、断面半円弧状であって、スライド空間２８に臨むようにこれを形成し、開閉切替え突起部３１が係脱する。
より詳細には、とくに図６に示すように、開放ストッパー部３８は、その一方側（スライドロック片２５の係脱突起部３０から遠ざかる方向側）の断面弧状面を開放ストッパー面３８Ａとし、その反対に位置する他方側の断面弧状面を開閉切替え突起部３１の閉鎖時定置面３８Ｂとしている。
さらに、開閉切替え突起部３１には、開放ストッパー部３８に対向するその先端部において、その基部からより遠い部位に位置して閉鎖傾斜面３１Ａを形成するとともに、この閉鎖傾斜面３１Ａに隣接してその基部により近い部位に位置して開放傾斜面３１Ｂを形成している。
スライドロック片２５における開閉切替え突起部３１の開放傾斜面３１Ｂが開放ストッパー部３８の開放ストッパー面３８Ａに係合している状態がバッテリーカバー９の開放状態であり、開閉切替え突起部３１の閉鎖傾斜面３１Ａが開放ストッパー部３８の閉鎖時定置面３８Ｂに当接している状態がバッテリーカバー９の閉鎖状態である。
【００４４】
とくに図５に示すように、ロック片嵌合部２７は、バッテリー収納室８内に設けた接続端子３９および取出し用スプリング４０の方向に充電バッテリー７を押し付け可能なバッテリー押付け面４１を有する。
さらに、バッテリー押付け面４１と同じ高さのバッテリー押付けリブ４２をカバー本体２６の裏面側において所定領域面積内に形成し、バッテリー押付け面４１およびバッテリー押付けリブ４２により充電バッテリー７の側面をバッテリー収納室８の内方に向かって押し付け可能としている。
【００４５】
とくに図６に示すように、バッテリーカバー９のロック片嵌合部２７には、左右一対のガイド突起３５を案内可能な左右一対のガイド溝４３を形成している。
【００４６】
カバー本体２６には、開閉切替え突起部３１が係脱する開放ストッパー部３８に対向して、開閉切替え突起部３１を保護する切替え突起部保護片４４を形成している。
すなわち、とくに図６に示すように、切替え突起部保護片４４は、開閉切替え突起部３１と開放ストッパー部３８とが互いに係脱する対向面部分を囲むように鈎の手壁状にこれを形成してあり、この対向面部分に細かい異物が侵入して、開閉切替え突起部３１と開放ストッパー部３８との係脱動作に支障が生じることを防止している。あるいは、使用者が、開閉切替え突起部３１の部分を指などで不用意に触ることにより、開閉切替え突起部３１を破損してしまうことがないようにしている。
【００４７】
とくに図５および図９に示すように、スライドロック片２５において、ロック片本体２９および開閉操作部３３の間には、スライドロック片２５のスライド方向に沿って左右一対のスライド段部４５を形成するとともに、図５および図８に示すように、バッテリーカバー９におけるロック片嵌合部２７には、このスライド段部４５がそれぞれ摺接する左右一対のスライド受け段部４６を形成している。
【００４８】
こうした構成の携帯式プリンター１およびそのバッテリーカバー９の開閉装置１５において、バッテリーカバー９の閉鎖状態（図６）においては、スライドロック片２５の係脱突起部３０がプリンターハウジング２の係脱孔３４に係合しており、ストッパー突起部３２が閉鎖ストッパー面３７に当接し、開閉切替え突起部３１の閉鎖傾斜面３１Ａが開放ストッパー部３８の閉鎖時定置面３８Ｂに当接している。
したがって、係脱突起部３０と係脱孔３４との係合、ストッパー突起部３２の閉鎖ストッパー面３７への当接、さらに閉鎖傾斜面３１Ａの閉鎖時定置面３８Ｂへの当接状態において、スライドロック片２５はバッテリーカバー９の閉鎖姿勢を安定的に保持している。
【００４９】
バッテリーカバー９を開放して充電バッテリー７を取り出す際には、スライドロック片２５の開閉操作部３３をバッテリーカバー軸２４の方向に向かってスライドさせることにより、開閉切替え突起部３１がわずかに弾性変形して、その閉鎖傾斜面３１Ａが開放ストッパー部３８の閉鎖時定置面３８Ｂを乗りこえるとともに、開放傾斜面３１Ｂが開放ストッパー面３８Ａに係合し、かつ、ストッパー突起部３２は閉鎖ストッパー面３７から離反するため、係脱突起部３０を係脱孔３４から抜き出してその係合を解除することができる。
【００５０】
この係脱突起部３０の係脱孔３４からの係合解除状態で、バッテリーカバー９をバッテリーカバー軸２４まわりに回動開放させることができる。
しかも、とくに図１および図３さらには図４に示すように、バッテリーカバー軸２４が係脱突起部３０に対し、携帯式プリンター１の使用状態において下方に位置しているので、携帯式プリンター１をわずかに傾けるだけで、使用者が無理に開放操作しなくても、バッテリーカバー９はその自重により自然落下してバッテリーカバー軸２４まわりに回動してバッテリー収納室８を開放することができる（図４の仮想線を参照）。
しかも、バッテリーカバー９は、その開放位置に停止保持されるとともに、バッテリー７自体は、取出し用スプリング４０の付勢力によりバッテリー収納室８から滑り出してくることになるので、使用者は、片手で充電バッテリー７の取り出すことができるし、あるいは交換することができる。
【００５１】
充電バッテリー７をバッテリー収納室８に収納したのちに、バッテリーカバー９をバッテリーカバー軸２４のまわりに回動して閉鎖し、バッテリーカバー９の終端部に位置するスライドロック片２５の開閉操作部３３を鉛直面内において上方（プリンターハウジング２の係脱孔３４方向）に押し込めば、スライドロック片２５の係脱突起部３０が係脱孔３４に係合し、かつ、開閉切替え突起部３１の開放傾斜面３１Ｂが開放ストッパー部３８の開放ストッパー面３８Ａを乗りこえるとともに、その閉鎖傾斜面３１Ａが閉鎖時定置面３８Ｂに移動し、かつまたストッパー突起部３２が閉鎖ストッパー面３７に当接停止して、バッテリーカバー９をその閉鎖位置に安定して固定することができる。
【００５２】
かくして、バッテリーカバー９の開閉装置１５としては、係脱突起部３０、開閉切替え突起部３１およびストッパー突起部３２を有するスライドロック片２５を、バッテリーカバー９のロック片嵌合部２７に対して往復動させるという簡単な構成であり、携帯式プリンター１の使用者は、片手でバッテリーカバー９の開放およびバッテリーカバー９の収納ないし取出し、さらにはバッテリーカバー９の閉鎖を簡単に行うことができ、とくに携帯式プリンター１を屋外で使用する際に操作性良好である。
【符号の説明】
【００５３】
１  携帯式プリンター（図１、図２、図３）
２  プリンターハウジング（機器ハウジング）
３  開閉カバー
４  ラベル連続体（印字用紙）
５  供給部
６  印字部
７  充電バッテリー（バッテリー）
８  バッテリー収納室
９  バッテリーカバー（図７、図８）
１０  アダプター接続端子
１１  入力部
１２  表示部
１３  電源スイッチ
１４  制御部
１５  バッテリーカバー９の開閉装置（実施例、図４、図５）
１６  ベルト掛け部
１７  開閉カバー軸
１８  サーマルヘッド
１９  プラテンローラー
２０  発行口
２１  開放用押しボタン
２２  ＡＣアダプター
２３  クッション材
２４  バッテリーカバー軸
２５  スライドロック片（図９、図１０）
２６  カバー本体（図７、図８）
２７  ロック片嵌合部
２８  ロック片嵌合部２７に形成したスライド空間
２９  ロック片本体（図９、図１０）
３０  係脱突起部
３１  開閉切替え突起部
３１Ａ  開閉切替え突起部３１の閉鎖傾斜面
３１Ｂ  開閉切替え突起部３１の開放傾斜面
３２  左右一対のストッパー突起部
３３  開閉操作部
３４  プリンターハウジング２に形成した係脱孔（図４）
３５  左右一対のガイド突起（図９、図１０）
３６  一対の凹部（図１０）
３７  左右一対の閉鎖ストッパー面（図７、図８）
３８  開放ストッパー部
３８Ａ  開放ストッパー部３８の開放ストッパー面
３８Ｂ  開放ストッパー部３８の閉鎖時定置面
３９  接続端子（図５）
４０  取出し用スプリング
４１  バッテリー押付け面（図５、図６、図７）
４２  バッテリー押付けリブ（図６、図７）
４３  左右一対のガイド溝
４４  切替え突起部保護片
４５  スライドロック片２５の左右一対のスライド段部（図５、図９）
４６  ロック片嵌合部２７の左右一対のスライド受け段部（図５、図７）
【図１】
2014191871.tif 000003
【図２】
2014191871.tif 000004
【図３】
2014191871.tif 000005
【図４】
2014191871.tif 000006
【図５】
2014191871.tif 000007
【図６】
2014191871.tif 000008
【図７】
2014191871.tif 000009
【図８】
2014191871.tif 000010
【図９】
2014191871.tif 000011
【図１０】
2014191871.tif 000012